(57)【特許請求の範囲】
【請求項１】
複数の異なる移動無線通信方式に従った無線通信を行う複数方式携帯電話機において、
移動無線通信方式毎に、待受け状態及び圏外状態のいずれかであるかを監視する状態監視制御手段と、
圏外状態となった移動無線通信方式のチャネルスキャン動作パターンを制御するスキャン制御手段とを有し、
前記圏外状態となった移動無線通信方式のチャネルスキャン動作パターンは、最初連続的にチャネルスキャンを行い、第１の所定の時間Ｔ1経過後、第１の間欠時間間隔τ１の間欠的チャネルスキャン動作に移行し、更に、第１の間欠時間間隔τ１の間欠的チャネルスキャン動作に移行後、所定の時間Ｔ２経過後に第２の間欠時間間隔τ２のチャネルスキャン動作に移行する第１のパターンと、前記第１の間欠時間間隔τ１でチャネルスキャンを行う第２のパターンと、第２の間欠時間間隔τ２でチャネルスキャンを行う第３のパターンとを有し、
スキャン制御手段は、電源ＯＦＦから圏外に状態が変化した場合は、第１のパターンとし、待ち受け状態から圏外に状態が変化した場合は、第２パターンとし、圏外状態において他の移動無線通信方式の状態が変化したときは、第３のパターンなるようにチャネルスキャン動作パターンを制御することを特徴とすることを特徴とする複数方式携帯電話機。
【請求項２】
請求項１記載の複数方式携帯電話機において、
各移動無線通信方式での状態の遷移状態に対応して、状態が圏外状態に遷移した各移動無線通信方式でのチャネルスキャン動作パターンを予め定めたテーブルを有し、
状態が圏外状態となった移動無線通信方式でのチャネルスキャン動作パターンとして、前記テーブルから前記状態監視制御手段での監視結果に基づいて得られる各移動無線通信方式での状態の遷移状態に対応するチャネルスキャン動作パターン選択することを特徴とする複数方式携帯電話機。
【請求項３】
請求項２記載の複数方式携帯電話機において、
圏外状態に遷移した状態にある移動無線通信方式では、
状態遷移前の状態が電源ＯＦＦの場合、状態遷移前の状態が待受の場合、状態遷移前の状態が圏外の場合の三つの場合に対応して、各場合毎に、異なるチャネルスキャン動作パターンで動作することを特徴とする複数方式携帯電話機。
【発明の詳細な説明】
【０００１】
【発明の属する技術分野】
本発明は、携帯電話機に関し、特に複数の移動無線通信方式の携帯電話機を搭載した複数携帯電話機に関する。
【０００２】
【従来の技術】
従来、携帯電話機のシステムとして、セルラーシステムとＰＨＳ（Personal  Handy-phone System）とが存在する。またセルラーシステムでも、国内ではＰＤＣ（Personal  Digital Cellular）方式、ＩＳ−９５（Interim Standard-95 ）方式等が存在する。また、海外では、主にヨーロッパで広く利用されているＧＳＭ（Global  System  for Mobile  Communications  ）、北米で利用されているＩＳ−１３６方式、北米・韓国などで利用されているＩＳ９５方式等、数多くの移動無線通信方式が存在している。
【０００３】
上記移動無線通信方式は、それぞれに機能的、地域的特徴を有している。機能的には、携帯電話は高速移動に強く、ＰＨＳは、高速データ通信に秀でているという特長を有する。また、地域的に見ると、国内ではＰＤＣ、ＩＳ−９５等が使用され、ヨーロッパの場合では、ＧＳＭ、北米ではＩＳ１３６、ＩＳ９５などが地域的に使用されている。
【０００４】
前記の移動無線通信方式を複数使用したいという要望を持つユーザーも少なくない。しかしながら、携帯電話機は移動無線通信方式毎に製造されており、この場合、ユーザは携帯電話機を複数所持することとなる。
【０００５】
その結果、複数の携帯電話機を常時保持することによる携帯性の低下という問題が発生し、また、それぞれの携帯電話機の操作方法が異なるためユーザにおける操作の混乱が生じるという問題がある。
【０００６】
そこで、上記問題を解決するために、二つ又はそれ以上の移動無線通信方式の携帯電話機を一つの筺体に搭載した複数方式携帯電話機も存在している。
【０００７】
従来の一つの筺体に搭載した複数方式携帯電話機には、待受を行う移動無線通信方式の切替えを完全な手動により行うものから自動で行うもの、さらには、複数の移動無線通信方式で同時に待受を行うことができるものまで様々である。
【０００８】
前記の移動無線通信方式を自動で切り替える複数方式携帯電話機、又は搭載された複数の移動無線通信方式で同時に待受を行うことができる複数方式携帯電話機においては、常に搭載された複数の全ての移動無線通信方式で、それぞれ待受、圏外の動作を行う必要がある。
【０００９】
【発明が解決しようとする課題】
ところで、特開平８−０４６５６３号公報には、一つの移動無線通信方式により通信を行う携帯電話機において、圏外状態の継続時間に対応して、チャネルスキャン処理の実効間隔を設定する手法が記載されている。このように、一つの通信方式の携帯電話機の場合における圏外時の消費電力を抑える手法は幾つか行われている。
【００１０】
一方、複数の移動無線通信方式を搭載した複数方式携帯電話機においては、電源投入時の待受を行うためのチャネルスキャン動作、待受時の動作、圏外時チャネルスキャン動作等に関して、各移動無線通信方式では、それぞれの通信方式に基づいたチャネルスキャン動作を行う必要がある。このため、個々の通信方式の必要とされるチャネル動作を考慮せずに、上記公報に記載された発明のように、単に、圏外状態の継続時間に対応してチャネルスキャン処理の実効間隔を選択し設定しようとしても、それぞれの通信方式に対応したチャネルスキャンを的確に行うことができないという問題がある。
【００１１】
また、複数の移動無線通信方式で同時に待受を行える複数方式携帯電話機において、圏内に存在するときは、複数の移動無線通信方式では、それぞれ、待受動作を行う必要がある。また、複数方式携帯電話機が、複数の移動無線通信方式の内、ある一つの移動無線通信方式について圏外に移行した場合は、その移動無線通信方式では圏外時動作を行い、その他の待受状態にある移動無線通信方式では、通話又は待受けを続行する。
【００１２】
さらに、複数方式携帯電話機は、該携帯電話機に搭載されている全ての移動無線通信方式について圏外に存在する場合は、全ての通信方式で、圏外時動作を行う必要がある。このとき、複数方式携帯電話機は、非常に大きな電力を消費することとなる。
【００１３】
なぜなら、一般に携帯電話機においては、待受時動作における消費電流よりも圏外時動作における消費電流の方が大きくなる。これは、待受時動作が主に移動無線通信方式のネットワークからの呼出しを待つだけのものである（特定の周波数の特定の時間だけ受信状態とする）のに対し、圏外時はその携帯電話機が再び待受に移行するために待受が可能なチャネルのスキャンを繰り返し行うためである。
【００１４】
このように、複数の移動無線通信方式で同時に待受を行える複数方式携帯電話機において、圏外において、非常に大きな電力を消費するという問題がある。
本発明は、上記問題に鑑みなされたものであり、移動無線通信方式を複数搭載した複数方式携帯電話機において、圏外時消費電流を抑えて、かつ効率的にチャネルスキャン動作を行うことができる複数方式携帯電話機を提供することを目的とするものである。
【００１５】
【課題を解決するための手段】
請求項１に記載された発明は、複数の異なる移動無線通信方式に従った無線通信を行う複数方式携帯電話機において、各移動無線通信方式での状態（複数携帯電話機に搭載されている移動無線通信方式毎に見たとき、複数方式携帯電話機が、圏内状態にあるか又は圏外状態にあるかの状態をいう。）が待受け状態及び圏外状態のいずれであるかを監視する状態監視制御手段（例えば、図１における状態監視制御部８）と、前記状態監視制御手段での監視結果に基づいて得られる状態の遷移状態に対応して、状態が圏外状態となった移動無線通信方式でのチャネルスキャン動作パターンを制御するスキャン制御手段とを有することを特徴とする。
【００１６】
請求項２に記載された発明は、請求項１記載の複数方式携帯電話機において、各移動無線通信方式での状態の遷移状態に対応して、状態が圏外状態に遷移した各移動無線通信方式でのチャネルスキャン動作パターン（例えば、図４におけるパターン▲１▼、▲２▼、▲３▼）を予め定めたテーブルを有し、状態が圏外状態となった移動無線通信方式でのチャネルスキャン動作パターンとして、前記テーブルから前記状態監視制御手段での監視結果に基づいて得られる各移動無線通信方式での状態の遷移状態に対応するチャネルスキャン動作パターン選択することを特徴とする。
【００１７】
請求項３に記載された発明は、請求項２記載の複数方式携帯電話機において、圏外状態に遷移した状態にある移動無線通信方式では、状態遷移前の状態が電源ＯＦＦの場合、状態遷移前の状態が待受の場合、状態遷移前の状態が圏外の場合の三つの場合に対応して、各場合毎に、異なるチャネルスキャン動作パターン（例えば、状態遷移前の状態が電源ＯＦＦの場合は図４のパターン▲１▼、状態遷移前の状態が待受の場合は図４のパターン▲２▼、状態遷移前の状態が圏外の場合は図４のパターン▲３▼を指示する。）で動作することを特徴とする。
【００１８】
請求項４に記載された発明は、複数の異なる移動無線通信方式に従った無線通信を行う複数方式携帯電話機において、各移動無線通信方式の過去の待受、圏外状態の遷移を監視して制御する状態監視制御手段（例えば、図１における状態監視制御部８）と、各移動無線通信方式でのチャネルスキャン動作を制御するスキャン制御手段（例えば、図１における制御部６、制御部７）とを有し、前記状態監視制御手段は、各移動無線通信方式毎に監視を行い、圏外状態にある移動無線通信方式の過去の遷移状況に基づいて特定のチャネルスキャン動作を行うよう前記スキャン制御手段に指示を行い、前記スキャン制御手段は、サービス圏内の移動無線通信方式では、通話又は待受けを行うように制御し、サービス圏外の移動無線通信方式では、前記状態監視制御部の指示に基づいて、チャネルスキャン動作を行ことを特徴とする。
【００１９】
【発明の実施の形態】
次に、本発明の実施の形態について図面と共に説明する。
【００２０】
本実施例ではＧＳＭ、ＩＳ９５、ＰＤＣ等の移動無線通信方式を二つ搭載した複数方式携帯電話機の説明を行う。ここでは、その搭載された二つの移動無線通信方式をそれぞれＡ方式、Ｂ方式として説明をする。
【００２１】
図１は、本実施例における複数方式携帯電話機のブロック図である。本実施例の複数方式携帯電話機には、アンテナ１、送受信部２、送受信部３、音声処理部４、音声処理部５、制御部６、制御部７、状態監視制御部８、表示部９、操作部１０、スピーカー１１及びマイク１２が設けられている。
【００２２】
送受信部２と音声処理部４と制御部６は、Ａ方式の通信に用いられるブロックであり、送受信部３と音声処理部５と制御部７は、Ｂ方式の通信に用いられるブロックである。
【００２３】
送受信部２及び送受信部３は、アンテナ１を介して基地局との間でメッセージの送受信を行う。声処理部４及び音声処理部５は、音声データの処理を行う。制御部６及び制御部７は、発着信、通話、ディスプレイ表示、キー操作等電話機としての基本的な機能から、ディジタル情報送受信機能、メモリダイヤル機能等の付加的機能まで、携帯電話機が持つ機能全般の制御を行う。また、予め決められた複数のチャネルスキャン動作パターンを記憶しており、後述の状態監視制御部８からの指示によりチャネルスキャンパターンを実行する。状態監視制御部８は、Ａ方式及びＢ方式の待受、圏外の状態を一元的に監視する。また、その状態が遷移した際の遷移の仕方を監視し、その状態遷移の仕方とＡ方式及びＢ方式のチャネルスキャンパターンとを対応させたテーブルを記憶しており、そのテーブルに基づいて、制御部６、制御部７に対してチャネルスキャンパターンを指示する。操作部１０は、複数方式携帯電話機の情報を表示する。
【００２４】
本発明の複数方式携帯電話機において特徴的なことは、第一に、複数方式携帯電話機に搭載されている移動無線通信方式の待受、圏外の状態、そして、その状態の遷移をそれぞれ単独で監視するのではなく全てを共通の状態監視制御部８において監視することである。
【００２５】
状態監視制御部８は、
▲１▼Ａ方式が待受状態でＢ方式が待受状態、
▲２▼Ａ方式が待受状態でＢ方式が圏外状態、
▲３▼Ａ方式が圏外状態でＢ方式が待受状態、
▲４▼Ａ方式が圏外状態でＢ方式が圏外状態、
の四つの状態を認識し、さらに、上記四つの状態の遷移を監視する。
【００２６】
第二に特徴的なことは、待受、圏外の状態及びその状態の遷移の監視結果より、圏外状態にある移動無線通信方式に係る制御部は、状態監視制御部の指示に基づいて、予め組み込まれている圏外時チャネルスキャン動作パターンの一つの実行することである。
【００２７】
上記説明では、第一の特徴として述べた機能を状態状態監視制御部８に備えており、また第二の特徴として述べた機能を制御部６及び制御部７に持たせているが、制御部６及び制御部７に状態状態監視制御部８の機能を持たせても良いし、状態状態監視制御部８に制御部６及び制御部７の機能を持たせてもよい。
【００２８】
図２は、複数方式携帯電話機に搭載された移動無線通信方式のエリア構成を模式的に表現したものである。エリアには、Ａ方式とＢ方式の両方がカバーするエリア２２、Ａ方式のみカバーするエリア２１、Ｂ方式のみカバーするエリア２３、そしてＡ方式、Ｂ方式共にカバーされないエリア２４の４つのエリアがある。なお、カバーされているエリア（圏内）では、携帯電話機は、待受け状態となるので、以下の説明では、カバーされているエリアを待受け状態とも表現する。
【００２９】
図３は、状態遷移前と状態遷移後の状態遷移表を示したものである。複数方式携帯電話機の状態としてＡ方式とＢ方式の両方で待受（エリア２２）、Ａ方式で待受でＢ方式で圏外（エリア２１）、Ａ方式で圏外でＢ方式で待受（エリア２３）、Ａ方式とＢ方式の両方で圏外（エリア２４）の４つの状態が存在する。
【００３０】
なお、図３は、状態遷移前の状態として電源ＯＦＦ時の状態も含めて、場合分けを行ったものである。
【００３１】
また、エリア構成図２及び図３の状態遷移表における場合分けは、本発明を用いた一例である。Ａ方式、Ｂ方式として選択される移動無線通信方式により、Ａ方式とＢ方式両方のエリアが重なる部分が全くないといったエリア構成となったり、またＡ方式とＢ方式の両方を同時に待受を行うことができない等、複数方式携帯電話自体の機能上の問題により、必要な場合分けの条件も多岐にわたる。
【００３２】
更に、Ａ方式、Ｂ方式の選択の仕方は任意であり、また、搭載する移動無線通信方式の数についても任意である。更に場合分けについてもそのわけ方は任意である。
【００３３】
図４は、本複数方式携帯電話機に備えられているチャネルスキャン動作パターンを示している。パターン▲１▼は、最初連続的にチャネルスキャンを行い、時間Ｔ1 （例えば、Ｔ1 ＝５秒）経過後、間欠時間間隔２秒の間欠的チャネルスキャン動作に移行し、更にその後時間Ｔ2 （例えば、Ｔ2 ＝５分）経過後に間欠時間間隔６０秒の間欠的チャネルスキャン動作に移行するものである。パターン▲２▼は２．0 秒間隔でチャネルスキャンを行う間欠動作パターンを行うものである。パターン▲３▼は６０秒間隔でチャネルスキャンを行う間欠動作パターンを行うものである。ここで、複数方式携帯電話機が行う一回のチャネルスキャンに要する時間は0 ．５秒である。
【００３４】
なお、本発明は、圏外時動作のチャネルスキャン動作のパターンを新たに定めることなく、複数あるチャネルスキャン動作パターンを搭載された移動無線通信方式毎の待受、圏外の情報により使い分けることにより、実施可能であるが、本発明の趣旨に沿ってチャネルスキャン動作のパターンを新たに定めてもよい。
【００３５】
従って、チャネルスキャンの実行時間間隔やスキャンを行うチャネルの数等動作パターンの内容、また動作パターンを幾つ用意するかという点については任意である。
【００３６】
図５は、本複数方式携帯電話機において、搭載された移動無線通信方式それぞれの待受、圏外の状態の遷移の仕方によりどのチャネルスキャン動作パターンを行うかを示す表で、図３で表した場合分けのそれぞれの場合について、図４のチャネルスキャン動作パターンを当てはめたものである。
【００３７】
ここで本実施例においてチャネルスキャン動作パターンをどのような考え方のもとで決定したかの一例を簡単に説明する。図２のようなエリア構成図において、Ａ方式、Ｂ方式ともに圏外状態（２４）である場合であっても、その状態の前の状態がどのような状態であったかにより、複数方式携帯電話機に対する意味合いが異なる。
【００３８】
例えば、状態遷移前の状態が電源ＯＦＦで、状態遷移後の状態がＡ方式、Ｂ方式ともに圏外となった場合と、状態遷移前の状態がＡ方式で待受、Ｂ方式で圏外という状態で、状態遷移後の状態がＡ方式、Ｂ方式ともに圏外となった場合とを考える。前者がＡ方式のエリア、Ｂ方式のエリアのどちらにより近い場所にいるか判断できないのに対して、後者は直前までＡ方式のエリア内にあったということになるので、圏外に遷移した後もＡ方式のエリアにより近い可能性が高いと言うことができる。
【００３９】
従って、本実施例において、前者の場合にはＡ方式、Ｂ方式同じようにチャネルスキャン動作パターンを行うように両方ともパターン▲１▼を選択し、後者の場合には、状態遷移前後で変化の無かったＢ方式では６０秒間隔の間欠動作を続行するパターン▲３▼、待受から圏外へと遷移したＡ方式では２．0 秒間隔の間欠動作を実行するパターン▲２▼により、圏外時チャネルスキャン動作を行う。
【００４０】
以上のように、複数方式携帯電話機は、搭載する移動無線通信方式の種類、数等によりそれぞれエリア構成等に様々な特徴を持つことになる。本発明を適用することにより前述の特徴を考慮に入れて効率的に圏外時チャネルスキャン動作を行うことが可能となる。
【００４１】
また、本発明の複数方式携帯電話機は、自身に搭載されている複数の移動無線通信方式の待受、圏外の状態及びその状態の遷移によって圏外時のチャネルスキャン動作パターンを変化させることが可能になり、さらに、それぞれの移動無線通信方式のエリア構成を考慮に入れて予め用意するチャネルスキャン動作パターンを形成することで、複数方式携帯電話機の消費電流を軽減することができる。なお、上記実施の形態では、アンテナ、状態監視制御部、表示部、操作部、スピーカー及びマイクを各移動無線通信方式で共有し、送受信部、音声処理部、制御部を各移動無線通信方式毎に備えた例を説明した。しかし、共有するか、個別に設けるかは、この例に限られることはない。
【００４２】
さらに、例えば、制御部において、各移動無線通信方式毎に制御部を設けるとしても、移動無線通信方式に共通な制御を行う共通制御部を設け、制御部の一部を共有化してもよい。送受信部及び音声処理部についても同様である。
【００４３】
また、上記実施の形態では、状態監視制御部が、各移動無線通信方式での状態に対応して状態が圏外状態に遷移した各移動無線通信方式でのチャネルスキャン動作パターンを予め定めたテーブルを備えた例について説明したが、このテーブルは、各移動無線通信方式に係る制御部が備えてもよい。この場合は、制御部は、このテーブルと状態監視制御部での監視結果に基づいてチャネルスキャン動作パターンを選択することとなる。
【００４４】
【発明の効果】
複数方式携帯電話機に搭載された複数の移動無線通信方式それぞれが待受、圏外のどちらの状態にあるかを監視し、また複数方式携帯電話機に搭載された複数の移動無線通信方式それぞれの待受、圏外の状態が遷移した際、状態遷移前と状態遷移後とを比較してどのように変化したかを監視し、その前記監視結果から判断してその時圏外状態にある移動無線通信方式において予め用意してある複数のチャネルスキャン動作パターンの中から一つを選択し、前記チャネルスキャン動作パターンを実行することにより、それぞれの移動無線通信方式の状態及び状態の遷移を考慮に入れて効率的に圏外時チャネルスキャン動作を行い、複数方式携帯電話機の消費電流を軽減することが可能となる。
【図面の簡単な説明】
【図１】複数方式携帯電話機のブロック図である。
【図２】複数方式携帯電話機に搭載された移動無線通信方式のエリア構成図である。
【図３】状態遷移前後における、待受、圏外の場合分けの表である。
【図４】圏外時チャネルスキャン動作の三つのパターンを示した図である
【図５】状態遷移後の状態に対して、図４で表したチャネルスキャン動作パターンをどのように割り当てるかを示した図である。
【符号の説明】
１    アンテナ
２    送受信部Ａ
３    送受信部Ｂ
４    音声処理部Ａ
５    音声処理部Ｂ
６    制御部Ａ（スキャン制御手段）
７    制御部Ｂ（スキャン制御手段）
８    状態監視制御部（状態監視制御手段）
９    表示部
１０    操作部
１１    スピーカ
１２    マイク
【図１】
0004098942.tif 000002
【図２】
0004098942.tif 000003
【図３】
0004098942.tif 000004
【図４】
0004098942.tif 000005
【図５】
0004098942.tif 000006